(57)【要約】【課題】奥行方向に２つの引出しを配置した引出し式収納ケースでは、奥の引出しを引き出すのに手前の引出しを完全に引き抜いた後、改めて手を奥まで突っ込んで奥の引出しを引き出す必要があるため、２度引き出すことになり不便であった。そこで、本発明は１回の引出し操作で手前の引出しとともに奥の引出しも引き出すことができるようにすることを課題とする。【解決手段】上記課題を解決するために、請求項１記載の引出し式収納ケースは、開口部と奥の引出し３とをつなぐ引出し用取手４を用意してあり、手前の引出し２を引き出すときにこの引出し用取手４を引き出すことにより奥の引出し３を一緒に引き出すことを可能としている。【選択図】  図１
2005102799.tif 000002
【特許請求の範囲】
【請求項１】
一面が開口した有底の矩形箱体である容器１と、容器１の内部に配置し上方に開口した有底の矩形箱体である手前の引出し２と、手前の引出し２と一面を接し容器１の内部かつ奥方向に配置し上方に開口した有底の矩形箱体である奥の引出し３と、容器１の開口部から奥の引出し３につながる引出し用取手４と、からなる引出し式収納ケース。
【請求項２】
一面が開口した有底の矩形箱体である容器１と、容器１の内部に配置し上方に開口した有底の矩形箱体である手前の引出し２と、手前の引出し２と一面を接し容器１の内部かつ奥方向に配置し上方に開口した有底の矩形箱体である奥の引出し３と、手前の引出し２および奥の引出し３を載せるように配置し、容器１の開口部から奥の引出し３につながる引出し用取手４と、からなる引出し式収納ケース。
【請求項３】
引出し用取手４が奥行き方向に垂直な方向に複数個ある請求項１ないし２の引出し式収納ケース。
【発明の詳細な説明】
【技術分野】
【０００１】
本発明は、衣類などの収納物を収納して押入れなどに設置する引出し式収納ケースにおいて、１回の引出し操作で手前の引出しとともに奥の引出しも引き出すことができるようにしたものに関する。  
【背景技術】
【０００２】
従来の引出し式収納ケースでは、押入れ等に入れることを想定し奥行方向の長さを押入れの長さに合わせることが多かった。日本家屋の間取りでは押入れ内寸の奥行は約０．８メートルであり、１つの引出しの収納ケースでは奥行方向の長さが長く、収納できる量が多く引出しを重くしていた。その結果、引出しの出し入れに力が必要であった。このことに対し、先行する知見として、特許文献１、特許文献２、のように、１つであった引出しを奥行方向について２つの引出しに分けることによって軽量に出し入れでき、かつ夏物と冬物の衣類を簡単に入替えできるような発明で対応していた。
【特許文献１】特開平０７−１４８０２８
【特許文献２】特開平０５−３０９０２１
【発明の開示】
【発明が解決しようとする課題】
【０００３】
しかし、特許文献１、特許文献２、を利用し、奥行方向に２つの引出しを配置すると、奥の引出しを引き出すのに手前の引出しを完全に引き抜いた後、改めて手を奥まで突っ込んで奥の引出しを引き出す必要があるため、２度引き出すことになり不便であった。そこで、本発明は１回の引出し操作で手前の引出しとともに奥の引出しも引き出すことができるようにすることを課題とする。
【課題を解決するための手段】
【０００４】
上記課題を解決するために、請求項１記載の引出し式収納ケースは、開口部と奥の引出しとをつなぐ引出し用取手を用意してあり、手前の引出しを引き出すときにこの引出し用取手を引き出すことにより奥の引出しを一緒に引き出すことを可能としている。
【発明の効果】
【０００５】
本発明は以上に説明したような構成により次のような効果を奏する。
請求項１に記載されている発明は、引出し用取手４が容器１の開口面から奥の引出し３につなげられている構造である。そのため、引出し用取手４を引くことで手前の引出し２とともに奥の引出し３を一緒に引き出すことが可能であり、一度手前の引出しを完全に引き出してから改めて奥まで手を伸ばして奥の引出し３を引き出す手間を省くことができる。
【０００６】
請求項２に記載されている発明は、引出し用取手４に手前の引出し２と奥の引出し３とを載せる構造である。そのため、両引出しを同時に引き出すときに両引出しを落下させずに安定して保持することができる。
【０００７】
請求項３に記載されている発明は、手前の引出し２ａと２ｂ、奥の引出し３ａと３ｂ、とを設置する構造である。そのため、収納するもののサイズにあわせることができる。奥行に垂直な方向に引出し用取手も引出しの数にあわせて設置することにより、任意の前後の引出しの組合せのみを選択的に引き出すことができる。
【発明を実施するための最良の形態】
【０００８】
以下、本発明の引出し式収納ケースについて、実施例に基づきさらに詳細に説明する。
【実施例１】
【０００９】
図１、図２、図３は、本発明の引出し式収納ケースの一実施例を示す図である。図１は後述する容器１に引出し２、３と引出し用取手４とを設置した例を示す斜視図であり、図２は引出し２、３と引出し用取手４との位置関係を説明する図１におけるＡ−Ａ断面図である。図３は上から見た図である。
【００１０】
図１、図２、図３に示すように、本実施例の引出し用取手４は手前の引出し２よりも開口部に手で握るグリップがあり、奥の引出し３のさらに奥に引き出す時の引っ掛かりとなる突起を形成している。引っ掛かりとなる突起は、粘着剤、マジックテープ、等のものでも、奥の引出し３に力が伝わる機能さえあれば効果は変わらない。また、力が伝わる位置も奥の引出し下部の奥だけでなく、手前、上部、側面部であっても効果は変わらない。引出し２に取り付けた取手を引き出すことで手前の引出し２のみを引き出すことができ、選択的に引出し用取手４を引き出すことによって奥の引出しも一緒に引き出すことができる。
【００１１】
容器１の外形寸法は、押入れの内寸に収まるように奥行０．７５メートル、幅０．３５メートル、高さ０．２５メートルとしている。そして、容器１に収まるように、手前の引出し２、および奥の引出し３はそれぞれ約半分の奥行０．３５メートルにして、奥行方向に並べている。押入れに限らず、クローゼットや家具の内寸に合わせた寸法としても、本発明の効果は変わらない。奥行方向の寸法は約半分に限らず、各引出しを希望する奥行寸法に設定しても本発明の効果は変わらない。
【００１２】
容器１、手前の引出し２、奥の引出し３、引出し用取手４、はそれぞれ合成樹脂成型体よりなり、全体として軽量かつ低コストな上に頻繁な使用に耐えうる剛性を保っている。容器１、手前の引出し２、奥の引出し３、引出し用取手４、は、ダンボール、木材、籐、等の材質を使っても本発明の効果は変わらない。
【実施例２】
【００１３】
図４、図５、図６は、本発明の引出し式収納ケースの一実施例を示す図である。図４は後述する容器１に引出し２、３と引出し用取手４とを設置した例を示す斜視図であり、図５は引出し２、３と引出し用取手４との位置関係を説明する図４におけるＡ−Ａ断面図である。図６は上から見た図である。
【００１４】
図４、図５、図６に示すように、本実施例の引出し用取手４は手前の引出し２と奥の引出し３とを上に載せるようになっており、両引出しを同時に引き出すときに両引出しを落下させずに安定して保持することができる。
【実施例３】
【００１５】
図７は、本発明の引出し式収納ケースの一実施例を示す図である。図７は後述する容器１に引出し２ａ、２ｂ、３ａ、３ｂと引出し用取手４ａ、４ｂとを設置した例を示す斜視図である。
【００１６】
図７に示すように、本実施例の引出しを奥行に垂直な方向に複数個ならべることで、収納するもののサイズにあわせることができる。奥行に垂直な方向に引出し用取手も引出しの数にあわせて設置することにより、任意の前後の引出しの組合せのみを選択的に引き出すことができる。
【産業上の利用可能性】
【００１７】
収納物を収納する引出し式収納ケースにおいて、開口部と奥の引出しとをつなぐ引出し用取手を用意してあることによって、１回の引出し操作で手前の引出しとともに奥の引出しも引き出す用途に適用できる。
【図面の簡単な説明】
【００１８】
【図１】本発明の引出し式収納ケースの実施例１を示す斜視図である。
【図２】図１におけるＡ−Ａ断面図である。
【図３】図１における平面図である。
【図４】本発明の引出し式収納ケースの実施例２を示す斜視図である。
【図５】図４におけるＡ−Ａ断面図である。
【図６】図４における平面図である。
【図７】本発明の引出し式収納ケースの実施例３を示す斜視図である。
【符号の説明】
【００１９】
１  容器
２，２ａ，２ｂ  手前の引出し
３，３ａ，３ｂ  奥の引出し
４，４ａ，４ｂ  引出し用取手
【図１】
2005102799.tif 000003
【図２】
2005102799.tif 000004
【図３】
2005102799.tif 000005
【図４】
2005102799.tif 000006
【図５】
2005102799.tif 000007
【図６】
2005102799.tif 000008
【図７】
2005102799.tif 000009